(57)【要約】【課題】  床構造体の躯体側による支持高さや張り出し長さによらず、大きな打ち消し用曲げモーメントを効率良く発生させ易く、床構造体の遊端部近くにおける上面も有効利用できるように設置し易い床張出構造を提供する。【解決手段】  躯体２側から張り出す姿勢で支持してある床構造体１の遊端側に、床構造体の張出部３に自重で作用する曲げモーメントを打ち消す方向の打ち消し用曲げモーメントを発生可能なモーメント発生手段４を設けてある床張出構造であって、床構造体の上面よりも上方に突出する第１突出部５を、床構造体の遊端側に剛固定するとともに、打ち消し用曲げモーメントが第１突出部の基部側に発生するように、第１突出部の遊端側を床構造体に対して相対変位可能な第１変位機構６を設けて、モーメント発生手段を構成してある。【選択図】        図１
2006307489.tif 000002
【特許請求の範囲】
【請求項１】
躯体側から張り出す姿勢でその躯体側に支持してある床構造体の遊端側に、前記床構造体の張出部に自重で作用する曲げモーメントを打ち消す方向の打ち消し用曲げモーメントを発生可能なモーメント発生手段を設けてある床張出構造であって、
前記床構造体の上面よりも上方、又は、前記床構造体の下面よりも下方に突出する第１突出部を、前記床構造体の遊端側に剛固定するとともに、
前記打ち消し用曲げモーメントが前記第１突出部の基部側に発生するように、前記第１突出部の遊端側を前記床構造体に対して相対変位可能な第１変位機構を設けて、前記モーメント発生手段を構成してある床張出構造。
【請求項２】
前記床構造体を前記躯体側から片持ち状に張り出す姿勢で支持して、その床構造体の遊端側に沿って前記第１突出部を設け、
前記第１突出部の遊端側に沿って軸力伝達部材を架設するとともに、その軸力伝達部材の両端部を前記躯体側に固定して、
前記第１変位機構を、前記軸力伝達部材に作用する軸力で前記第１突出部の遊端側を前記床構造体に対して相対変位可能に構成してある請求項１記載の床張出構造。
【請求項３】
前記床構造体を前記躯体側から環状に張り出す姿勢で支持して、その床構造体の遊端側に沿って、前記床構造体を囲む環状に前記第１突出部を設け、
前記第１突出部の遊端側に沿って、前記床構造体を囲む環状に軸力伝達部材を架設するとともに、その両端部を互いに連結して、
前記第１変位機構を、前記軸力伝達部材に作用する軸力で前記第１突出部の遊端側を前記床構造体に対して相対変位可能に構成してある請求項１記載の床張出構造。
【請求項４】
前記床構造体の上面よりも上方に突出する第２突出部を、前記床構造体の前記第１突出部よりも基端側に剛固定し、
前記床構造体の前記躯体側による支持部位に作用する曲げモーメントを打ち消す方向の第２打ち消し用曲げモーメントが、前記第２突出部の基部側に発生するように、前記第２突出部の遊端側を前記床構造体に対して相対変位可能な第２変位機構を設けてある請求項３記載の床張出構造。
【請求項５】
前記第１突出部の遊端側を前記床構造体に対して相対変位可能な軸力を、前記軸力伝達部材に予め作用させてある請求項２又は３記載の床張出構造。
【発明の詳細な説明】
【技術分野】
【０００１】
本発明は、躯体側から張り出す姿勢でその躯体側に支持してある床構造体の遊端側に、前記床構造体の張出部に自重で作用する曲げモーメントを打ち消す方向の打ち消し用曲げモーメントを発生可能なモーメント発生手段を設けてある床張出構造に関する。
【背景技術】
【０００２】
上記床張出構造は、躯体側から張り出している床構造体の曲げ剛性を特に高めることなく、張出部に自重で作用する曲げモーメント（以下、自重曲げモーメントという）による撓みを抑制できるように、その自重曲げモーメントを打ち消す方向の打ち消し用曲げモーメントを発生可能なモーメント発生手段を床構造体の遊端側に設けてある。
従来の床張出構造では、床構造体の遊端部と床構造体よりも高い位置の躯体側部分とをスティなどの引っ張り力伝達部材で斜め方向に連結してある構造や、床構造体の遊端部と床構造体よりも低い位置の躯体側部分とを支柱などの圧縮力伝達部材で斜め方向に連結してある構造を設けて、打ち消し用曲げモーメントを発生可能なモーメント発生手段を構成している（例えば、特許文献１，２参照）。
【０００３】
【特許文献１】実開平６−４４９５６号公報
【特許文献２】特開２００２−２５６６９５号公報
【発明の開示】
【発明が解決しようとする課題】
【０００４】
床構造体の遊端部と床構造体よりも高い躯体側部分とを引っ張り力伝達部材で斜め方向に連結してある床張出構造では、大きな打ち消し用曲げモーメントを効率良く発生させるには、引っ張り力のうちの、床構造体に対して圧縮力として作用する水平方向分力ができるだけ小さくなるように、引っ張り力伝達部材を水平に対してできるだけ大きな傾斜角で斜めに設ける必要があるが、床構造体の躯体側による支持高さや張り出し長さによっては、引っ張り力伝達部材を大きな傾斜角度で設けることができない場合があり、大きな打ち消し用曲げモーメントを効率良く発生させにくい欠点があるとともに、引っ張り力伝達部材を、床構造体の遊端部において、その上面近くから躯体側に向けて斜めに設けるので、床構造体の遊端部近くにおける上面（床面）を有効利用できるようにするにあたって、引っ張り力伝達部材が邪魔にならないように、引っ張り力伝達部材を床構造体の上方空間に入り込まないように設ける必要があり、引っ張り力伝達部材を設ける上で制約を受ける欠点がある。
また、床構造体の遊端部と床構造体よりも低い躯体側部分とを圧縮力伝達部材で斜め方向に連結してある床張出構造でも、大きな打ち消し用曲げモーメントを効率良く発生させるには、圧縮力伝達部材を水平に対してできるだけ大きな傾斜角で斜めに設ける必要があるが、床構造体の躯体側による支持高さや張り出し長さによっては、圧縮力伝達部材を大きな傾斜角度で設けることができない場合があり、大きな打ち消し用曲げモーメントを効率良く発生させにくい欠点がある。
本発明は上記実情に鑑みてなされたものであって、床構造体の躯体側による支持高さや張り出し長さによらず、大きな打ち消し用曲げモーメントを効率良く発生させ易く、床構造体の遊端部近くにおける上面（床面）も有効利用できるように設置し易い床張出構造を提供することを目的とする。
【課題を解決するための手段】
【０００５】
本発明の第１特徴構成は、躯体側から張り出す姿勢でその躯体側に支持してある床構造体の遊端側に、前記床構造体の張出部に自重で作用する曲げモーメントを打ち消す方向の打ち消し用曲げモーメントを発生可能なモーメント発生手段を設けてある床張出構造であって、前記床構造体の上面よりも上方、又は、前記床構造体の下面よりも下方に突出する第１突出部を、前記床構造体の遊端側に剛固定するとともに、前記打ち消し用曲げモーメントが前記第１突出部の基部側に発生するように、前記第１突出部の遊端側を前記床構造体に対して相対変位可能な第１変位機構を設けて、前記モーメント発生手段を構成してある点にある。
【０００６】
〔作用及び効果〕
床構造体の上面よりも上方、又は、床構造体の下面よりも下方に突出する第１突出部を、床構造体の遊端側に剛固定するとともに、打ち消し用曲げモーメントが第１突出部の基部側に発生するように、第１突出部の遊端側を床構造体に対して相対変位可能な第１変位機構を設けて、従来のような水平に対して傾斜する引っ張り力伝達部材や圧縮力伝達部材を床構造体の遊端部と躯体側部分とに亘って特に設けることなく、第１突出部の遊端側を床構造体に対して相対変位させて、第１突出部の基部側に打ち消し用曲げモーメントを発生させることができるモーメント発生手段を構成してあるので、床構造体の躯体側による支持高さや張り出し長さによらず、大きな打ち消し用曲げモーメントを効率良く発生させ易い。
また、第１突出部の遊端側を床構造体に対して相対変位可能な第１変位機構を設けてモーメント発生手段を構成してあるので、床構造体の上面よりも上方に突出する第１突出部を床構造体の遊端側に剛固定してある場合でも、第１変位機構を床構造体の上方の高い位置に設け易く、床構造体の遊端部近くにおける上面（床面）を有効利用できるように設置し易い。
【０００７】
本発明の第２特徴構成は、前記床構造体を前記躯体側から片持ち状に張り出す姿勢で支持して、その床構造体の遊端側に沿って前記第１突出部を設け、前記第１突出部の遊端側に沿って軸力伝達部材を架設するとともに、その軸力伝達部材の両端部を前記躯体側に固定して、前記第１変位機構を、前記軸力伝達部材に作用する軸力で前記第１突出部の遊端側を前記床構造体に対して相対変位可能に構成してある点にある。
【０００８】
〔作用及び効果〕
床構造体の上面よりも上方に突出する第１突出部を床構造体の遊端側に沿って剛固定してある場合には、第１突出部の遊端側に沿って架設してある軸力伝達部材に、引っ張り方向の軸力を作用させることで、第１突出部の遊端側を躯体側に引き寄せるように床構造体に対して相対変位させて、また、床構造体の下面よりも下方に突出する第１突出部を床構造体の遊端側に沿って剛固定してある場合には、第１突出部の遊端側に沿って架設してある軸力伝達部材に、圧縮方向の軸力を作用させることで、第１突出部の遊端側を躯体側から押し出すように床構造体に対して相対変位させて、打ち消し用曲げモーメントを第１突出部の基部側に発生させることができる。
従って、躯体側から片持ち状に張り出す姿勢で支持してある床構造体の遊端側に沿って第１突出部を設けて、その第１突出部の遊端側に沿って架設した軸力伝達部材に作用する軸力で、打ち消し用曲げモーメントが第１突出部の基部側に発生するように、第１突出部の遊端側を床構造体に対して相対変位させることができるので、床構造体の上面よりも上方に突出する第１突出部を床構造体に剛固定してある場合でも、床構造体の上方空間を有効利用することができ、また、床構造体の下面よりも下方に突出する第１突出部を床構造体に剛固定してある場合は、床構造体の上方空間を一層有効利用することができる。
【０００９】
本発明の第３特徴構成は、前記床構造体を前記躯体側から環状に張り出す姿勢で支持して、その床構造体の遊端側に沿って、前記床構造体を囲む環状に前記第１突出部を設け、前記第１突出部の遊端側に沿って、前記床構造体を囲む環状に軸力伝達部材を架設するとともに、その両端部を互いに連結して、前記第１変位機構を、前記軸力伝達部材に作用する軸力で前記第１突出部の遊端側を前記床構造体に対して相対変位可能に構成してある点にある。
【００１０】
〔作用及び効果〕
床構造体の上面よりも上方に突出する第１突出部を、床構造体の遊端側に沿って、床構造体を囲む環状に剛固定してある場合には、第１突出部の遊端側に沿って床構造体を囲む環状に架設してある軸力伝達部材に、引っ張り方向の軸力を作用させることで、第１突出部の遊端側を躯体側に引き寄せるように床構造体に対して相対変位させて、また、床構造体の下面よりも下方に突出する第１突出部を、床構造体の遊端側に沿って、床構造体を囲む環状に剛固定してある場合には、第１突出部の遊端側に沿って床構造体を囲む環状に架設してある軸力伝達部材に、圧縮方向の軸力を作用させることで、第１突出部の遊端側を躯体側から押し出すように床構造体に対して相対変位させて、打ち消し用曲げモーメントを第１突出部の基部側に発生させることができる。
従って、躯体側から環状に張り出す姿勢で支持してある床構造体の遊端側に沿って第１突出部を環状に設けて、軸力伝達部材の反力受けを躯体側に特に設けることなく、その第１突出部の遊端側に沿って床構造体を囲む環状に架設した軸力伝達部材に作用する軸力で、打ち消し用曲げモーメントが第１突出部の基部側に発生するように、第１突出部の遊端側を床構造体に対して相対変位させることができるので、構造の簡略化を図り易い。
また、床構造体の上面よりも上方に突出する第１突出部を床構造体に剛固定してある場合でも、床構造体の上方空間を有効利用することができ、床構造体の下面よりも下方に突出する第１突出部を床構造体に剛固定してある場合は、床構造体の上方空間を一層有効利用することができる。
【００１１】
本発明の第４特徴構成は、前記床構造体の上面よりも上方に突出する第２突出部を、前記床構造体の前記第１突出部よりも基端側に剛固定し、前記床構造体の前記躯体側による支持部位に作用する曲げモーメントを打ち消す方向の第２打ち消し用曲げモーメントが、前記第２突出部の基部側に発生するように、前記第２突出部の遊端側を前記床構造体に対して相対変位可能な第２変位機構を設けてある点にある。
【００１２】
〔作用及び効果〕
床構造体の上面よりも上方に突出する第２突出部を、床構造体の第１突出部よりも基端側に剛固定し、床構造体の躯体側による支持部位に作用する曲げモーメントを打ち消す方向の第２打ち消し用曲げモーメントが、第２突出部の基部側に発生するように、第２突出部の遊端側を床構造体に対して相対変位可能な第２変位機構を設けてあるので、第２打ち消し用曲げモーメントが第２突出部の基部側に発生するように、第２突出部の遊端側を床構造体に対して相対変位させて、躯体側に作用する曲げモーメントを小さくすることができ、躯体の必要強度を特に高めることなく、床構造体を躯体側から環状に張り出す姿勢でその躯体側に支持できる。
【００１３】
本発明の第５特徴構成は、前記第１突出部の遊端側を前記床構造体に対して相対変位可能な軸力を、前記軸力伝達部材に予め作用させてある点にある。
【００１４】
〔作用及び効果〕
第１突出部の遊端側を床構造体に対して相対変位可能な軸力を、軸力伝達部材に予め作用させてあるので、床構造体の撓みが増大する前に、打ち消し用曲げモーメントを確実に作用させることができる。
【発明を実施するための最良の形態】
【００１５】
以下に本発明の実施の形態を図面に基づいて説明する。
〔第１実施形態〕
図１，図２は、平面視で略半円形の鉄筋コンクリート製床構造体１を、鉄筋コンクリート製躯体２側から片持ち状の半円形に張り出す姿勢で躯体２に一体に設けて、その躯体２側に支持してある本発明による床張出構造を示し、床構造体１の遊端側に、図３に示すように、床構造体１の張出部３に自重で作用する曲げモーメントＭ０を打ち消す方向の第１打ち消し用曲げモーメントＭ１を発生可能な第１モーメント発生手段４を設けてある。
【００１６】
前記第１モーメント発生手段４は、床構造体１の上面よりも上方に突出する第１突出部としての鉄筋コンクリート製第１パラペット５を、床構造体１の遊端側（外周側）に沿って一連の円弧状に一体に設けて剛固定するとともに、第１打ち消し用曲げモーメントＭ１が第１パラペット５の基部側に発生するように、第１パラペット５の遊端側である上部を床構造体１に対して相対変位可能な第１変位機構６を設けて構成してある。
【００１７】
前記第１変位機構６は、第１パラペット５のコンクリート打設時に、軸力伝達部材としてのＰＣ鋼線（緊張材）７を挿通してあるシース（外装円筒管）８を埋設して、ＰＣ鋼線７を第１パラペット５の上部に沿って一連に架設するとともに、そのＰＣ鋼線７の両端部１１を所定の引っ張り力で引っ張った状態で、コンクリート打設時に躯体２側に埋設してある支圧板９に定着具１０で固定することにより、第１パラペット５の上部を床構造体１に対して相対変位可能な引っ張り方向の軸力ＦをＰＣ鋼線７に予め作用させて、その軸力Ｆで第１パラペット５の上部に床構造体内方側に向く向心力Ｆ１を生じさせ、もって、第１パラペット５の上部を床構造体１に対して床構造体内方側に向けて相対変位可能に構成してある。
【００１８】
〔第２実施形態〕
図４，図５は本発明による床張出構造の別実施形態を示し、平面視で外形が円形の鉄筋コンクリート製床構造体１を、鉄筋コンクリート製躯体２側から環状に張り出す姿勢で躯体２に一体に設けて、その躯体２側に支持してある本発明による床張出構造を示し、床構造体１の遊端側（外周側）に、図６に示すように、床構造体１の張出部３に自重で作用する曲げモーメントＭ０を打ち消す方向の打ち消し用曲げモーメントＭ１を発生可能なモーメント発生手段４を設けてある。
【００１９】
前記モーメント発生手段４は、床構造体１の上面よりも上方に突出する第１突出部としての鉄筋コンクリート製第１パラペット５を、床構造体１の遊端側に沿って、床構造体１を囲む一連の環状に一体に設けて剛固定するとともに、打ち消し用曲げモーメントＭ１が第１パラペット５の基部側に発生するように、第１パラペット５の遊端側である上部を床構造体１に対して相対変位可能な第１変位機構６を設けて構成してある。
【００２０】
前記第１変位機構６は、第１パラペット５のコンクリート打設時に、軸力伝達部材としてのＰＣ鋼線７を挿通してあるシース８を環状に埋設して、ＰＣ鋼線７を第１パラペット５の上部に沿って床構造体１を囲む一連の環状に架設するとともに、シース８の両端部から露出させてあるＰＣ鋼線７の両端部１１を所定の引っ張り力で引っ張った状態で互いに連結することにより、第１パラペット５の上部を床構造体１に対して相対変位可能な引っ張り方向の軸力ＦをＰＣ鋼線７に予め作用させて、その軸力Ｆで第１パラペット５の上部に床構造体中心側に向く向心力Ｆ１を生じさせ、もって、第１パラペット５の上部を床構造体１に対して床構造体中心側に向けて相対変位可能に構成してある。
【００２１】
〔第３実施形態〕
図７，図８は本発明による床張出構造の別実施形態を示し、平面視で円環状の鉄筋コンクリート製床構造体１の内周側下部を、周方向に略等間隔で配置してある４本の鉄筋コンクリート製支柱１２からなる躯体２で、躯体２側から環状に張り出す姿勢で支持してある。
【００２２】
そして、床構造体１の外周側（遊端側）に、図９に示すように、床構造体１の張出部３に自重で作用する曲げモーメントＭ０を打ち消す方向の第１打ち消し用曲げモーメントＭ１を発生可能な第１モーメント発生手段４を設けるとともに、床構造体１の内周側（基端側）に、図９に示すように、床構造体１の躯体２側による支持部位に作用する曲げモーメントを打ち消す方向の第２打ち消し用曲げモーメントＭ２を発生可能な第２モーメント発生手段１３を設けてある。
【００２３】
前記第１モーメント発生手段４は、第２実施形態と同様に構成してあるので、その説明は省略する。
【００２４】
前記第２モーメント発生手段１３は、床構造体１の内周側に沿って、その上面よりも上方に突出する第２突出部としての鉄筋コンクリート製第２パラペット１４を、床構造体１を囲む一連の環状に一体に設けて剛固定するとともに、第２打ち消し用曲げモーメントＭ２が第２パラペット１４の基部側に発生するように、第２パラペット１４の遊端側である上部を床構造体１に対して相対変位可能な第２変位機構１５を設けて構成してある。
【００２５】
前記第２変位機構１５は、第２パラペット１４のコンクリート打設時に、軸力伝達部材としてのＰＣ鋼線７を挿通してあるシース８を略環状に埋設して、ＰＣ鋼線７を第２パラペット１４の上部に沿って床構造体１を囲む一連の環状に架設するとともに、シース８の両端部から露出させてあるＰＣ鋼線７の両端部１１を所定の引っ張り力で引っ張った状態で互いに連結することにより、第２パラペット１４の上部を床構造体１に対して相対変位可能な引っ張り方向の軸力ＥをＰＣ鋼線７に予め作用させて、その軸力Ｅで第２パラペット１４の上部に床構造体１の径方向中心に向く向心力Ｅ１を生じさせ、もって、第２パラペット１４の上部を床構造体１に対してその径方向中心に向けて相対変位可能に構成してある。
【００２６】
〔その他の実施形態〕
１．本発明による床張出構造は、打ち消し用曲げモーメントが第１突出部の基部側に発生するように、床構造体の上面よりも上方に突出する第１突出部の遊端側をステーなどの軸部材で躯体側に引っ張って、床構造体に対して相対変位可能な第１変位機構を設けてあっても良い。
２．本発明による床張出構造は、床構造体の下面よりも下方に突出する第１突出部を、床構造体の遊端側に剛固定するとともに、打ち消し用曲げモーメントが第１突出部の基部側に発生するように、第１突出部の遊端側をＰＣ鋼線などの軸部材に作用させた圧縮方向の軸力で床構造体の外側方に向けて押圧して、床構造体に対して外側方に相対変位可能な第１変位機構を設けてあっても良い。
３．本発明による床張出構造は、第１突出部を床構造体の遊端側に断続的に剛固定してあっても良い。
４．本発明による床張出構造は、床構造体の張出部が自重で下向きに変位するに伴って、打ち消し用曲げモーメントが第１突出部の基部側に発生するように、第１突出部の遊端側を床構造体に対して相対変位可能な第１変位機構を設けてあっても良い。
【図面の簡単な説明】
【００２７】
【図１】床張出構造の概略平面図
【図２】床張出構造の概略縦断面図
【図３】曲げモーメント図
【図４】第２実施形態を示す概略平面図
【図５】第２実施形態を示す概略縦断面図
【図６】曲げモーメント図
【図７】第３実施形態を示す概略斜視図
【図８】第３実施形態を示す要部の概略一部断面斜視図
【図９】曲げモーメント図
【符号の説明】
【００２８】
１    床構造体
２    躯体
３    張出部３
４    モーメント発生手段
５    第１突出部
６    第１変位機構
７    軸力伝達部材
１１  端部
１４  第２突出部
１５  第２変位機構
Ｍ０  曲げモーメント
Ｍ１  打ち消し用曲げモーメント
Ｍ２  第２打ち消し用曲げモーメント
Ｆ    軸力
【図１】
2006307489.tif 000003
【図２】
2006307489.tif 000004
【図３】
2006307489.tif 000005
【図４】
2006307489.tif 000006
【図５】
2006307489.tif 000007
【図６】
2006307489.tif 000008
【図７】
2006307489.tif 000009
【図８】
2006307489.tif 000010
【図９】
2006307489.tif 000011